(57)【要約】      （修正有）【課題】デザイン性が高く、多様なレイアウトに対応可能な物品収容容器を提供する。【解決手段】中心角が９０°の扇形状の底面２と、底面に対して直角に起立する周壁と、を含んで構成される物品収容容器１であって、周壁は、夫々平行に対面する外周部３、内周部４、左右一対の側壁部５，６とからなり、一方の側壁部に嵌合凸部を設け、それに嵌合可能な嵌合凹部を他方の側壁部に設けた。嵌合凹部及び前記嵌合凸部を、側壁部の中央の下端部に設けることで、半円形、円形、波形等、多様な形状のユニットを形成することができる。【選択図】図１
2011251745.tif 000002
【特許請求の範囲】
【請求項１】
中心角（Ｒ）が９０°の扇形の底面と、該底面に対して直角に起立する外周部（２０３）と、前記外周部（２０３）に連続する左右一対の側壁部（２０５，２０６）とからなり、一方の側壁部（２０５）に嵌合凸部（２０７）を設け、該嵌合凸部（２０７）に嵌合可能な嵌合凹部（２０８）を他方の側壁部（２０６）に設けたことを特徴とする物品収容容器。
【請求項２】
中心角（Ｒ）が９０°の扇形状の底面（２）と、該底面（２）に対して直角に起立する周壁と、を含んで構成される物品収容容器（１）であって、
前記周壁は、夫々平行に対面する外周部（３）及び内周部（４）と、前記外周部（３）と内周部（４）とに連続する左右一対の側壁部（５，６）とからなり、一方の側壁部（５）に嵌合凸部（７）を設け、該嵌合凸部（７）に嵌合可能な嵌合凹部（８）を他方の側壁部（６）に設けたことを特徴とする物品収容容器。
【請求項３】
前記嵌合凸（７）部は、前記底面部（２）から延長される水平部（９）と、該水平部（９）の先端から上方に向けて立ち上がる起立部（１０）と、によって構成されており、
前記嵌合凹部（８）は、前記水平部（２）が係合される段差部（１１）を介して、前記底面部（２）に設けられた開口部（１２）に前記起立部（１０）が挿入されるように構成されていることを特徴とする請求項１又は請求項２に記載の物品収容容器。
【請求項４】
前記嵌合凹部（８）及び前記嵌合凸部（７）は、前記側壁部（６）の中央の下端部に設けられたことを特徴とする請求項１〜請求項３の何れか１つの請求項に記載の物品収容容器。
【請求項５】
前記物品収容容器（１）は、共に所定の中心角を有する扇形又は扇形状の底面部を有し、該底面部に対して直角に起立する周壁部を有する第１容器部（２０）及び第２容器部（３０）からなるものであって、夫々の容器部（２０，３０）は、前記底面部の中心角の和が９０°になるように構成されており、前記第１容器部（２０）の左右の側壁部（５，２５）には共に嵌合凹部（７，２７）が設けられ、前記第２容器部（３０）の左右の側壁部（３６，６）には共に嵌合凸部（３８，８）が設けられていることを特徴とする請求項２〜請求項４のいずれか1つの請求項に記載の物品収容容器。
【請求項６】
前記第１容器部（２０）又は第２容器部（３０）は、仕切部材（３１）によって複数の収容部に仕切られていることを特徴とする請求項５に記載の物品収容容器。
【発明の詳細な説明】
【技術分野】
【０００１】
本発明は、商品や日用品を手に取りやすい状態で収容保持するための物品収容容器に関し、特に、多様なレイアウトが可能で、且つレイアウト変更を容易に行うことができる物品収容容器に関する。
【背景技術】
【０００２】
店舗で商品を陳列したり、眼鏡や筆記具などの日用品を手に取りやすい状態で収容保持するための容器として、単体の容器を複数連結して使用されるものが提案されている。
例えば、特許文献１には、筒状容器の周壁面の対向位置に連結用の嵌合凹部と嵌合凸部を設け、複数の容器を凹部と凸部において嵌合させることで、直線状に連結されるようにしたユニットが開示されている。
【先行技術文献】
【特許文献】
【０００３】
【特許文献１】特開２００８‐２５４７７１号公報
【発明の概要】
【発明が解決しようとする課題】
【０００４】
しかしながら、特許文献１のユニットの場合、直線状に連結されるのみなので、デザイン性が低く、空間に配置する際のレイアウトに多様性を持たせることができなかった。
【０００５】
そこで、本発明は、デザイン性が高く、多様なレイアウトに対応可能な物品収容容器の提供を目的とする。
【課題を解決するための手段】
【０００６】
上記課題を解決するために、本発明に係る物品収容容器は、中心角が９０°の扇形の底面と、該底面に対して直角に起立する外周部と、前記外周部に連続する左右一対の側壁部とからなり、一方の側壁部に嵌合凸部を設け、該嵌合凸部に嵌合可能な嵌合凹部を他方の側壁部に設けたことを特徴とするものである。
または、本発明に係る物品収容容器は、中心角が９０°の扇形状の底面と、該底面に対して直角に起立する周壁と、を含んで構成される物品収容容器であって、前記周壁は、夫々平行に対面する外周部及び内周部と、前記外周部と内周部とに連続する左右一対の側壁部とからなり、一方の側壁部に嵌合凸部を設け、該嵌合凸部に嵌合可能な嵌合凹部を他方の側壁部に設けたことを特徴とするものである。
【０００７】
この場合、前記嵌合凸部は、前記底面部から延長される水平部と、該水平部の先端から上方に向けて立ち上がる起立部と、によって構成されており、前記嵌合凹部は、前記水平部が係合される段差部を介して、前記底面部に設けられた開口部に前記起立部が挿入されるように構成されていてもよい。
また、前記嵌合凹部及び前記嵌合凸部は、前記側壁部の中央の下端部に設けられていてもよい。
【０００８】
また、前記物品収容容器は、共に所定の中心角を有する扇形又は扇形状の底面部を有し、該底面部に対して直角に起立する周壁部有する第１容器部及び第２容器部からなるものであって、夫々の容器部は、前記底面部の中心角の和が９０°になるように構成されており、前記第１容器部の左右の側壁部には共に嵌合凹部が設けられ、前記第２容器部の左右の側壁部には共に嵌合凸部が設けられていてもよい。
この場合、前記第１容器部又は第２容器部は、仕切部材によって複数の収容部に仕切られていてもよい。
【発明の効果】
【０００９】
請求項１に係る物品収容容器は、中心角が９０°の扇形の底面を有するので、２個又は４個の物品収容容器を用意し、側壁部の嵌合凸部と嵌合凸部において連結することで、半円形又は円形のユニットを形成することができる。配置する空間に応じて組み合わせ数を変えることで、デザイン性の高い物品収容容器のユニットを形成することが可能となる。
請求項２に係る物品収容容器は、中心角が９０°の扇形状の底面を有するので、２個又は４個の物品収容容器を用意して、外周部同士を隣接させた状態で、側壁部の嵌合凸部と嵌合凸部において連結することで、半円形又は円形のユニットを形成することができ、外周部と内周部を隣接させた状態で連結することで、長い波形の物品収容容器とすることができる。配置する空間に応じて連結状態を変えることによって、デザイン性の高い物品収容容器のユニットを、多様なレイアウトで形成することが可能となる。
【００１０】
請求項３に係る物品収容容器は、嵌合凸部を、底面部から延長される水平部と起立部とで構成することで、連結される物品収容容器の段差部に係合しながら底面部の開口部に挿入されるようにしたので、強固に連結させることができる。
請求項４に係る物品収容容器は、嵌合凹部と嵌合凸部が、側壁部の中央に設けられているので、半円形又は円形のユニットを形成した場合であっても、長い波形のユニットを形成した場合であっても、壁面の連続性が維持される。
【００１１】
請求項５に係る物品収容容器は、連結することによって、中心角が９０°の扇形状の底面となるような２つの容器部によって構成されるので、容器自体を多様な形状に変形することができ、更に多様なユニットを形成することができる。
請求項６に係る物品収容容器は、容器部を、複数の収容部に仕切ったので、物品を分別して収容することが可能となる。
【図面の簡単な説明】
【００１２】
【図１】本発明の実施形態に係る物品収容容器を示す斜視図である。
【図２】上記物品収容容器の平面図である。
【図３】上記物品収容容器の嵌合凸部と嵌合凹部を示す斜視図である。
【図４】上記嵌合凸部と嵌合凹部を示し、（ａ）は底面図、（ｂ）は側面図、（ｃ）はＢ−Ｂ線断面図である。
【図５】上記嵌合凸部と嵌合凹部の連結状態を示し、（ａ）は平面図、（ｂ）は側面図、（ｃ）はＢ−Ｂ線断面図である。
【図６】容器部を左右逆に組み合わせて使用した場合の斜視図である。
【図７】長い波形のユニットを形成した場合の平面図である。
【図８】第１容器の外周部と、第２容器の内周部を隣接させて連結した場合の平面図である。
【図９】本発明の第２実施形態に係る物品収容容器を示す平面図である。
【図１０】本発明の第３実施形態に係る物品収容容器を示す平面図である。
【発明を実施するための形態】
【００１３】
本発明の好適な実施形態について、添付図面に基づいて説明する。なお、実施形態は以下の形態に限定されるものではなく、本発明の課題を解決しうるものであれば他の態様も実施可能である。
【実施例１】
【００１４】
図１は、本発明に係る物品収容容器の第１実施形態としての眼鏡スタンド１を示す斜視図である。この物品収容容器１は、２つの容器部２０，３０を組み合わせることによって形成されたものであり、扇形状の底面２と、その底面２に対して直角に起立する周壁（３，４，５，６）とによって構成される。
底面２は、図２に示すように、中心角Ｒが９０°で半径ａが約１５ｃｍの扇形を、半径ｂが約１０ｃｍの扇形で切断した扇形状を成している。
【００１５】
周壁は、夫々平行に対面する曲面状の外周部３及び内周部４と、その外周部３及び内周部４に、外周部３から見て左側の端部にて連続する平面状の左側壁部５と、右側の端部にて連続する右側壁部６とからなる。
一方の側壁部５の下端部の横方向中央部には、嵌合凸部７が設けられており、その嵌合凸部７に嵌合可能な嵌合凹部８が、他方の側壁部６に設けられている。
この嵌合凸部７は、図３に示すように、２個の物品収容容器１，１’を連結した際に、隣接する物品収容容器１’の嵌合凹部８’に嵌合されるように構成されている。
【００１６】
以下、嵌合凸部７と嵌合凹部８の連結構造を、図４を参照して説明する。
左側壁部５の下端部中央に設けられた嵌合凸部７は、底面部２から延長される水平部９と、その水平部９の先端から上方に向けて立ち上がる起立部１０とによって構成されている。右側壁部６の下端部中央には、底面２の厚みに相当する高さの段差部１１が設けられており、その段差部１１の壁面１１ａに連続させて底面２に開口部１２を設けることで、嵌合凹部８を構成している。
この嵌合凹部８は、同一の容器１’を連結した際に、その水平部９’が段差部１１に係止された状態で、その容器１’の起立部１０’が開口部１２に挿入されるように構成されている（図５を参照）。
【００１７】
上記物品収容容器１は、共に扇形状の底面部を有する２つの容器部２０，３０を組み合わせて構成されている。
即ち、左側壁面５を構成する第１容器部２０は、ペンや鉛筆などの長尺状の筆記具を収容するための部位であり、中心角ｃが約２０°の扇形状の底面部２２を有する中空状の柱状体を成している。底面部２２に対して直角に起立する外周部２３、内周部２４、そして外周部２３と内周部２４とに連続する左右一対の側壁部５、２５を有し、左側の側壁部５には、前記嵌合凸部７を設けている。右側の側壁部２５にも、前記嵌合凸部７と同一構成の嵌合凸部２７が、左右対称に配設される。
【００１８】
右側壁面６を構成する第２容器部３０は、複数の眼鏡を収容するための部位であり、内部は、２つの仕切り板３１，３１によって、３つの収容部に仕切られている。夫々の収容部には、眼鏡の度数表示（図示しない）が付されている。
この第２容器３０は、中心角ｄが約８０°の扇形状の底面部３２を有し、底面部３２に対して直角に起立する外周部３３、内周部３４、そして、外周部３３と内周部３４とに連続する左右一対の側壁部３６、６を有している。右側の側壁部６には、前記嵌合凹部８が形成され、左側の側壁部２６には、前記嵌合凹部８と同一構成の嵌合凹部２８が、左右対称に配設されている。
【００１９】
このように、複数の容器部２０，３０によって眼鏡スタンドを構成すると共に、夫々の容器部２０，３０の底面部２２，２３の中心角の和が９０°になるように設計したので、連結することで半円又は円形状のユニットを構成することが可能な眼鏡スタンド１とすることができる。図６に示すように、容器部２０、３０を左右逆に組み合わせて使用することもできる。
なお、本実施形態において、容器部の数は２個に限るものではなく、また、扇形状の中心角も２０°と８０°に限るものではない。
【００２０】
次に、本実施形態の眼鏡スタンド１の使用状態を説明する。
２つの容器部２０，３０を組み合わせた状態の眼鏡スタンド１を複数用意して、図３に示すように、外周部３，３’同士を隣接させた状態で、側壁部５、６’の嵌合凸部７と嵌合凸部８’において連結する。２個連結した場合は半円形のユニットが形成され、４個連結した場合は円形のユニットが形成される。
このようにして連結状態を工夫することで、デザイン性の高いユニットを、多様なレイアウトで形成することが可能となる。この際、嵌合凸部７が、底面部２から延長される水平部９と起立部１０とで構成され、連結凹部８が、底面部２の開口部１２と段差部１１とで構成されているので、起立部１０を段差部１１を介して開口部１２に挿入することができ、強固に連結できる。
【００２１】
長い波形のユニットを形成したい場合は、図７に示すように、外周部３と内周部４’を隣接させた状態で連結する。
本実施形態の場合、第１容器２０及び第２容器の側壁部の横方向中央部に、嵌合凸部及び嵌合凹部を対称に設けているので、円形又は半円形状のユニットを形成した場合であっても、長い波形のユニットを形成した場合であっても、周壁の連続性を維持させることができる。
また、２つの容器部２０，３０を連結させて眼鏡スタンド１を形成すると共に、第１容器部の左右側壁部５，２５に共に嵌合凸部７、２７を設け、第２容器部の左右側壁部３６，６に共に嵌合凹部３８，８を設けたので、図８に示すように、容器部２０，３０を左右逆に組み合わせることも可能となる。この際、夫々の容器部２０，３０の嵌合凹凸部が側壁面の横方向中央部に形成されているので、第１容器２０の外周部２３と、第２容器３０の内周部３４を隣接させて連結した際の壁面の連続性が維持される。
【実施例２】
【００２２】
図９は、本発明に係る物品収容容器の第２実施形態を示す平面図である。この物品収容容器１０１は、単体の容器によって形成されたものであり、扇形状の底面１０２と、その底面１０２に対して直角に起立する周壁とによって構成される。
底面２は、中心角Ｒが９０°の扇形状をなし、周壁は、夫々平行に対面する曲面状の外周部１０３及び内周部１０４と、その外周部１０３及び内周部１０４に左側の端部において連続する平面状の左側壁部１０５と、右側の端部において連続する右側壁部１０６とからなる。
一方の側壁部１０５の下端部中央には、嵌合凸部１０７が設けられており、その嵌合凸部１０７に嵌合可能な嵌合凹部１０８が他方の側壁部１０６に設けられている。嵌合凸部１０７と嵌合凹部１０８の連結構造、仕切板３１等は、第１実施形態のものと同一態様である。
【実施例３】
【００２３】
図１０は、本発明に係る物品収容容器の第３実施形態を示す平面図である。この物品収容容器２０１は、中心角Ｒが９０°の扇形の底面と、その底面に対して直角に起立する外周部２０３と、その外周部２０３に連続する左右一対の側壁部２０５，２０６とからなる。一方の側壁部２０５に嵌合凸部２０７を設け、その嵌合凸部２０７に嵌合可能な嵌合凹部２０８を他方の側壁部２０６に設けている。
この物品収容容器２０１は、中心角ｃの扇形の底面部２２２と、それに対して直角な周壁部（２２３，２０５，２２６）とを有する第１容器部２２０と、中心角ｄの扇形の底面部２３２と、それに対して直角な周壁部（２３３，２３６，２０６）を有する第２容器部２３０からなるものである。夫々の容器部２２０，２３０は、底面部２２２，２３２の中心角ｃ、ｄの和が９０°になるように設計されている。
【００２４】
第１容器部２２０の左右の側壁部２０５，２２５の中央下端部には共に嵌合凸部２０７，２２７）が設けられ、第２容器部２３０の左右の側壁部２３６，２０６の中央下端部には共に嵌合凹部２３８，２０８が設けられている。嵌合凸部と嵌合凹部の連結構造は、第１実施形態のものと同一態様である。第２容器部２３０は、仕切板２３１によって複数の収容部に区画されている。
本実施形態に係る物品収容容器においても、空間のレイアウトに応じて、多様な形状のユニットを形成することが可能となる。
【産業上の利用可能性】
【００２５】
本発明の物品収容容器は、事務用に限らず、あらゆる産業分野における物品収容容器に適用することができる。
【符号の説明】
【００２６】
１、１’・・・眼鏡スタンド（物品収容容器）
２，２２，３２，１０２・・・底面
３，２３，３３，１０３・・・外周部
４、２４，３４，１０４・・・内周部
５，２５，１０５・・・左側壁部
６，３６，１０６・・・右側壁部
７，２７，１０７・・・嵌合凸部
８，３８，１０８・・・嵌合凹部
９・・・水平部
１０・・・起立部
１１・・・段差部
１２・・・開口部
２０・・・第１容器部
３０・・・第２容器部
【図２】
2011251745.tif 000003
【図３】
2011251745.tif 000004
【図４】
2011251745.tif 000005
【図５】
2011251745.tif 000006
【図７】
2011251745.tif 000007
【図８】
2011251745.tif 000008
【図９】
2011251745.tif 000009
【図１０】
2011251745.tif 000010
【図１】
2011251745.tif 000011
【図６】
2011251745.tif 000012